(57)【要約】【課題】導光体からの出射光による画像の品位の低下を防止できる表示装置及びテレビジョン受信機を提供する。【解決手段】表示装置は、前面２ａに画像を表示する表示部２と、前記前面２ａに対して前向きに延びる第１面６１、該第１面６１に連続し、前記前面２ａに沿っており、凹凸部を有する第２面６２、及び該第２面６２に連続する第３面６３を有する導光体６と、前記第３面に対向する発光部７１とを備える。【選択図】図３
2018136521.tif 000002
【特許請求の範囲】
【請求項１】
前面に画像を表示する表示部と、
前記前面に対して前向きに延びる第１面、該第１面に連続し、前記前面に沿っており、凹凸部を有する第２面、及び該第２面に連続する第３面を有する導光体と、
前記第３面に対向する発光部と
を備える表示装置。
【請求項２】
前記導光体は、前記前面の周縁部に配されていることを特徴とする請求項１に記載の表示装置。
【請求項３】
前記第２面及び前記第３面がなす角度は鋭角であることを特徴とする請求項１又は請求項２に記載の表示装置。
【請求項４】
前記第２面及び前記第３面がなす角度は３５度以上６０度以下であることを特徴とする請求項３に記載の表示装置。
【請求項５】
前記第１面及び前記第３面は、前記第２面から張り出しており、
前記第１面及び前記第３面の前記第２面からの張り出し幅は、中央部から両端部にかけて小さくなっていることを特徴とする請求項１から請求項４までのいずれか一つに記載の表示装置。
【請求項６】
前記第２面が有する凹凸部は、ローレット加工により形成されていることを特徴とする請求項１から請求項５までのいずれか一つに記載の表示装置。
【請求項７】
前記導光体を覆う被覆板を備えることを特徴とする請求項１から請求項６までのいずれか一つに記載の表示装置。
【請求項８】
前記導光体は、前記第１面に連続する第４面を有し、
前記第４面と前記被覆板によって挟持された弾性部材を備えることを特徴とする請求項７に記載の表示装置。
【請求項９】
前記被覆板の端部は、前記弾性部材の前記第１面側の側部を覆うように、前記第１面に向かって突設してあることを特徴とする請求項８に記載の表示装置。
【請求項１０】
請求項１から請求項９のいずれか１つに記載の表示装置と、
テレビジョン放送を受信する受信部と
を備え、
前記受信部で受信したテレビジョン放送に基づいて前記表示部に映像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
前面に画像を表示する表示部を備える表示装置は、テレビジョン受信機及びパーソナルコンピュータ等の機器に用いられている。表示面の周縁部には、表示装置又は該表示装置を備える機器の動作状態を示すインジケータ部が配されている場合がある。
【０００３】
例えば、特許文献１のノートブック型パーソナルコンピュータが備えるインジケータ部は、表示面の下部に位置する発光部（ＬＥＤ）と、受光面から発光部からの光を受光し、出射面から光が出射する導光体とを備える。インジケータ部は、導光体からの出射光により、ノートブック型パーソナルコンピュータの電源の投入状態及び充電状態等の動作状態を表示する。
【先行技術文献】
【特許文献】
【０００４】
【特許文献１】特開２００２−０７２９３３号公報
【発明の概要】
【発明が解決しようとする課題】
【０００５】
しかしながら、インジケータ部における導光体からの出射光は、表示装置の動作状態等を使用者に伝達しているが、前面に表示される画像と連動しておらず、一体感は生じていない。一方、導光体からの出射光を画像と連動させる場合、該出射光により画像の品位を低下させてしまう虞がある。
【０００６】
本発明は、斯かる事情に鑑みてなされたものであり、その目的とするところは、導光体からの出射光による画像の品位の低下を防止できる表示装置及びテレビジョン受信機を提供することにある。
【課題を解決するための手段】
【０００７】
本開示の一実施形態に係る表示装置は、前面に画像を表示する表示部と、前記前面に対して前向きに延びる第１面、該第１面に連続し、前記前面に沿っており、凹凸部を有する第２面、及び該第２面に連続する第３面を有する導光体と、前記第３面に対向する発光部とを備える。
【０００８】
また、前記導光体は、前記前面の周縁部に配されていることを特徴とする。
【０００９】
また、前記第２面及び前記第３面がなす角度は鋭角であることを特徴とする。
【００１０】
また、前記第２面及び前記第３面がなす角度は３５度以上６０度以下であることを特徴とする。
【００１１】
また、前記第１面及び前記第３面は、前記第２面から張り出しており、前記第１面及び前記第３面の前記第２面からの張り出し幅は、中央部から両端部にかけて小さくなっていることを特徴とする。
【００１２】
また、前記第２面が有する凹凸部は、ローレット加工により形成されていることを特徴
とする。
【００１３】
また、前記導光体を覆う被覆板を備えることを特徴とする。
【００１４】
また、前記導光体は、前記第１面に連続する第４面を有し、前記第４面と前記被覆板によって挟持された弾性部材を備えることを特徴とする。
【００１５】
また、前記被覆板の端部は、前記弾性部材の前記第１面側の側部を覆うように、前記第１面に向かって突設してあることを特徴とする。
【００１６】
本開示の一実施形態に係るテレビジョン受信機は、上記の表示装置と、テレビジョン放送を受信する受信部とを備え、前記受信部で受信したテレビジョン放送に基づいて前記表示部に映像を表示するようにしてあることを特徴とする。
【発明の効果】
【００１７】
本発明によれば、導光体からの出射光による画像の品位の低下を防止できる。
【図面の簡単な説明】
【００１８】
【図１】実施の形態１に係る表示装置の斜視図である。
【図２】表示装置の模式的な部分斜視断面図である。
【図３】図１のＩＩＩ−ＩＩＩ線による断面図である。
【図４】導光体の正面斜視図である。
【図５】導光体の背面斜視図である
【図６】光の進行を説明する模式図である。
【図７】出射光の範囲を説明する模式図である。
【図８】導光体の形状を説明する模式図である。
【図９】出射光の範囲を説明する模式図である。
【図１０】導光体の形状を説明する模式図である。
【図１１】実施の形態２に係る表示装置の模式的部分断面図である。
【図１２】実施の形態３に係る表示装置の要部の模式的分解斜視図である。
【図１３】実施の形態３に係る表示装置の模式的部分断面図である。
【発明を実施するための形態】
【００１９】
以下、本発明の実施形態について説明する。
（実施の形態１）
図１は、実施の形態１に係る表示装置の斜視図である。図１において１は、表示装置であり、図示の如く表示装置１は、表示面２ａを有する矩形の液晶パネル２と、該液晶パネル２に表示面２ａの反対側から光を照射するバックライト装置３（図２参照）とを備える。また、表示装置１は、液晶パネル２の一の長辺側から支持する脚部１０を備える。表示装置１は、脚部１０を下側にして平坦な台に載せ、表示面２ａを前面として使用する。以下の説明においては、表示装置１の使用状態における上下、前後方向を使用する。
【００２０】
表示装置１の内部には、アンテナから放送波を受信するチューナ１１及び符号化された放送波を復号するデコーダ１２が設けてあり、表示装置１はテレビジョン受信機として構成されている。表示装置１は、表示面２ａの下辺全体を、後述する導光体を含めて覆っている被覆板４を備える。
【００２１】
図２は、表示装置１の模式的な部分斜視断面図である。図３は、図１のＩＩＩ−ＩＩＩ線による断面図である。バックライト装置３は、矩形状の底板と、該底板の四辺の夫々から立ち上がる側板とを有するシャーシ３０を備える。シャーシ３０は、液晶パネル２側に開口が設けられた浅底箱型をなす。
【００２２】
シャーシ３０の底板上には複数のＬＥＤ（不図示）が並設されており、これらのＬＥＤは、シャーシ３０の内面全体を覆う反射シート３３から前側に露出させてある。液晶パネル２は、シャーシ３０の開口側にパネルシャーシを介して後面が前記底板に対向するように配されており、液晶パネル２とシャーシ３０との間には矩形状の拡散板３４ａ及び光学シート３４ｂが配されている。
【００２３】
液晶パネル２の表示面２ａの周縁部はベゼル５に覆われている。ベゼル５は、矩形枠形の前板５ａと該前板５ａの外周縁から垂直に立ち上がる側板５ｂとを有する。ベゼル５の前板５ａは、スペーサを介して液晶パネル２の周縁部を覆っている。ベゼル５の側板５ｂは、例えば、螺子によりシャーシ３０の側板に固定されている。
【００２４】
被覆板４は、矩形の前板４ａと、該前板４ａの一の長辺から立ち上がる側板４ｂとを有する断面Ｌ字状の部材である。前板４ａは、中央部にて一側に張り出すように湾曲している湾曲部４０を有する。被覆板４は、湾曲部４０が液晶パネル２の前側に張り出すようにベゼル５の下辺部分に対向させて取り付けられている。湾曲部４０及びベゼル５の前面の間には、空間が形成されている。
【００２５】
図４は、導光体６の正面斜視図であり、図５は、導光体６の背面斜視図である。導光体６は、ガラス又は透明な樹脂製であり、第１面６１と、該第１面に連続する第２面６２と、該第２面に連続する第３面６３と、第１面及び第３面に連続する第４面６４とを有する。
【００２６】
第２面６２は、一方向に長い矩形状をなしており、第１面６１及び第３面６３は、第２面６２の長辺夫々から同じ向きに張り出している。第４面６４は、第２面６２に略平行である。第１面６１及び第２面６２がなす角度、第２面６２及び第３面６３がなす角度は、鋭角である。第１面６１及び第２面６２がなす角度は、第２面６２及び第３面６３がなす角度よりも大きい。また、第３面６３及び第１面６１の第２面６２からの張り出し幅は、長手方向中央から両端に向けて徐々に小さくなっている。これにより、導光体６は、前記湾曲部４０に沿った形状となっている。
【００２７】
第２面６２は、ローレット加工により形成された凹凸部６２ａを有する。凹凸部６２ａは、第２面６２の長手方向両端部を除いた部分に形成されている。なお、凹凸部６２ａは、第２面６２全面に形成されていてもよい。第１面６１は、梨地状に形成されている。また、第４面６４は、黒色に着色されている。ローレット加工により、第２面６２に凹凸部６２ａを容易に形成することができる。
【００２８】
導光体６は、表示パネル２の周縁部の下部において、被覆板４の湾曲部４０及びベゼル５の前面間に、第１面６１が上向きで第３面６３が下向きになるように配されており、被覆板４及びベゼル５に挟持されている。したがって、第１面６１は、表示面２ａに対して前向きに延びることとなる。また、第１面６１は、湾曲部４０及びベゼル５の間で外向きに露出している。
【００２９】
導光体６の第２面６２は、ベゼル５の前面に接しており、表示面２ａに沿っている。第４面６４は、被覆板４の湾曲部４０の後面上端側に接している。導光体６は、第４面６４を、例えば両面テープにより湾曲部４０の後面に貼り付けることにより、被覆板４に固定される。
【００３０】
導光体６の下方には、ＬＥＤ基板７０が配され、ＬＥＤ基板７０は被覆板４に固定されている。ＬＥＤ基板７０には、導光体６の第３面６３に対向する位置にＬＥＤ７１が実装されている。ＬＥＤ７１は、上向きに発光する。ここで、被覆板４が、導光体６、ＬＥＤ基板７０及びＬＥＤ７１を前面から覆っているので表示装置１の美観を向上させることができる。
【００３１】
図６は、光の進行を説明する模式図であり、図７は、出射光の範囲を説明する模式図である。図６に示すように、ＬＥＤ７１の発光は、第３面６３により後向きに屈折されて導光体６に入射して第２面６２側に到達し、第２面６２により斜め前向きに反射される。第
２面６２に反射された光は、第１面６１に達し、該第１面６１から外部に出射される。第２面６２は凹凸部６２ａを有するので、第２面６２に到達した光は、導光体６の長手方向及び幅方向（上下方向）に拡散して反射される。
【００３２】
第１面６１は、表示面２ａの前側に位置し、前向きで斜め下に傾斜しているので、第１面への到達光は、前側に屈折する。このとき、第１面６１から出射する光は、第１面６１において屈折し、上向き及び前向きとなる。ここで、第１面６１及び第２面６２がなす角度が鋭角であるので、第１面６１から出射する光は、表示面２ａに映り込みにくくなる。また、第１面６１が梨地状に形成されているので、導光体６から出射する光にぼかし感が生じる。
【００３３】
第２面６２による反射光の一部は、第４面６４にも到達するが、第４面６４が黒色であるので吸収される。なお、第４面６４は、黒色に着色していなくてもよく、この場合、被覆板４の湾曲部４０の後面において光の反射を防止するようにすればよい。更に、第１面６１は、梨地状に形成されていなくてもよい。
【００３４】
第２面６２において拡散した光は、上下方向だけでなく、導光体６の長手方向にも進行する。したがって、導光体６から出射する光は、図７の斜線部分に示すように、導光体６の長手方向中央部を中心として広がり、中央部から両端部にかけて減衰するので、導光体６の長手方向中央部が明るくなり両端部が暗くなるように視認される。また、導光体６は、表示パネル２の周縁部の下部に配されているので、導光体６からの出射光は、表示パネル２の周縁部の下部から広がる。
【００３５】
ここで、第２面６２及び第３面６３がなす角度は、３５度以上６０度以下が望ましく、これにより、第３面６３による光の屈折が良好となり、出射光の範囲が良好となる。
【００３６】
導光体６における出射光の範囲は、第２面６２及び第３面６３がなす角度を変更することにより、変更することが可能である。図８は、導光体６の形状を説明する模式図である。導光体６の形状は、表示装置１に合わせて、変更が可能であり、例えば、図８Ａ〜図８Ｃに示すように設計される。
【００３７】
図８Ａ〜図８Ｃの導光体６において、第２面６２の幅Ｌ１は同一であり、１２．８ｍｍである。一方、図８Ａの導光体６において、第２面６２及び第３面６３のなす角度θ１は、４２．５度であり、図８Ｂの導光体６において、第３面６３及び第２面６２のなす角度θ２は、３５．０度であり、図８Ｃの導光体６において、第３面６３及び第２面６２のなす角度θ３は、６０．０度である。
【００３８】
図９は、出射光の範囲を説明する模式図である。図９Ａは、図８Ａの導光体６を用いた場合、図９Ｂは、図８Ｂの導光体６を用いた場合、図９Ｃは、図８Ｃの導光体６を用いた場合を示している。図９Ａに示す出射光の範囲は、導光体６の長手方向の幅がＷ１であり、図９Ｂに示す出射光の範囲は、導光体６の長手方向における幅がＷ２（Ｗ２＜Ｗ１）であり、図９Ｂに示す出射光の範囲は、導光体６の長手方向における幅がＷ３（Ｗ３＞Ｗ１）である。
【００３９】
以上のように、第２面６２の幅Ｌ１を同一として、第３面６３及び第２面６２のなす角度を小さくすることにより、出射光の範囲は小さくなり、第３面６３及び第２面６２のなす角度を大きくすることにより、出射光の範囲は大きくなる。したがって、第２面６２の幅を一定として、第３面６３及び第２面６２のなす角度を調整することにより、出射光の範囲を適宜に設定することができる。
【００４０】
また、出射光の範囲は、第２面６２の幅によっても変化する。第２面６２の幅は、表示装置１の設計によって変更されるが、第２面６２の幅に応じて、第３面６３及び第２面６２のなす角度を変更することにより、出射光の範囲を同程度とすることができる。例えば、導光体６は、図１０Ａ〜図１０Ｃに示すように設計される。図１０Ａの導光体６において、第２面６２の幅Ｌ１は、１２．８ｍｍであり、第３面６３及び第２面６２のなす角度θ１は、４２．５度である。図１０Ｂの導光体６において、第２面６２の幅Ｌ２は、１４．９ｍｍであり、第３面６３及び第２面６２のなす角度θ２は、３５．０度である。図１０Ｃの導光体６において、第２面６２の幅Ｌ３は、１０．７ｍｍであり、第３面６３及び第２面６２のなす角度θ３は、６０．０度である。
【００４１】
図１０Ａ〜図１０Ｃのように設計された導光体６を用いた場合、第１面６１における発光の範囲は、同程度となる。以上のように、第２面６２の幅が表示装置１の設計により異なる場合であっても、第２面６２の幅に合わせて、第３面６３及び第２面６２のなす角度を調整することにより、出射光の範囲を同程度に調整できる。
【００４２】
以上の如く構成された表示装置１においては、図示しない制御部により動作の制御が行われる。表示装置１の使用者は、例えば、赤外線により表示装置１と通信するリモートコントローラ（以下、「リモコン」という）等の操作部を操作することにより、制御部に指示を送信することができる。
【００４３】
制御部の動作により、シャーシ３０内の各ＬＥＤから出射した光が、拡散板３４ａにより拡散し、光学シート３４ｂにより集束され、液晶パネル２の後面に照射される。液晶パネル２は、入射光を変調して透過し、前面である表示面２ａに画像を表示する。表示装置１は、チューナ１１により受信し、デコーダ１２が復号したテレビジョン放送の放送波に基づいて、液晶パネル２の表示面２ａに映像を表示し、テレビジョン受信機として機能する。
【００４４】
また、制御部は、ＬＥＤ７１の点消灯を制御し、ＬＥＤ７１の輝度及び色を制御する。電源のオンオフ、機能の選択、音量調整等のリモコン等による操作に伴ってＬＥＤ７１が点消灯し、また、ＬＥＤ７１の発光の輝度又は色が変化する。これらを利用して、表示パネル２が表示面２ａに表示する表示画像に応じて、種々の演出を行わせることができる。したがって、導光体６から出射される光と、表示パネル２が表示する画像との一体感を生じさせることができ、使用者に知覚させることができる。例えば、表示面２ａの下端部中央に明るい画像を表示することにより、第１面６１と、表示面２ａの下端部とがシームレスに発光しているように見えることとなる。
【００４５】
また、導光体６において、ＬＥＤ７１からの光は、第２面６２において拡散反射して、第１面６１から出射する。出射した光は、第２面６２により反射光であるので、上方向に進行する一方、前側に拡散して進行する。したがって、導光体６からの出射光による画像の品位の低下を防止できる。導光体６からの出射光は、表示面２ａの画像への影響が少なく、邪魔とはならない。更に、導光体６からの出射光は、第１面６１の梨地面によりぼかし感が生じており、表示面２ａの画像との一体感が良好となる。
【００４６】
第１面６１及び第３面６３の第２面６２からの張り出し幅は、長手方向中央部から両端部に向けて小さくなっており、導光体６を含めて表示パネル２の下部を覆う被覆板４の湾曲部４０もこれに沿った形状にすることができ、表示装置１のデザイン性が向上する。なお、第１面６１及び第３面６３の第２面６２からの張り出し幅は、長手方向において一定であってもよく、導光体６は、第２面６２による反射光を出射することができれば、いかなる形状であってもよい。
【００４７】
（実施の形態２）
実施の形態２においては、実施の形態１と導光体の形状等が異なる。図１１は、実施の形態２に係る表示装置の模式的部分断面図である。実施の形態２に係る表示装置１の構成について、実施の形態１と同様な構成については、同一の符号を付してその詳細な説明を省略する。
【００４８】
実施の形態２に係る表示装置１は、導光体８を備える。導光体８は、第１面８１、第２面８２、第３面８３及び第４面８４及び第５面８５を有する。第３面８３及び第２面８２は、一方向に長い矩形状をなし、互いに平行であり、第３面８３及び第２面８２に垂直な連設面８５ａにより連なっている。第２面８２は、ローレット加工により凹凸状に形成されている。したがって、実施の形態２における第２面８２は、全面が凹凸部となる。
【００４９】
第３面８３及び第２面８２と、第４面８４とは、対向しており、第３面８３及び第４面８４の対向距離の方が長い。第４面８４は一方向に長い矩形状をなす。第１面８１は、第２面８２及び第４面８４に連なっており、第２面８２に対して鋭角をなしている。
【００５０】
第５面８５は、第４面に連なり、第３面８３に連設面８５ｂを介して連なっている。連設面８５ｂは第３面８３から垂直に張り出している。第５面８５は、第４面８４に対して鈍角をなし、連設面８５ｂに対して鈍角をなしている。また、第５面８５及び第２面８２のなす角度は鋭角である。
【００５１】
導光体８は、表示面２ａの周縁部の下辺側中央において、第２面８２がベゼル５に対向するように配される。第３面８３は、表示面２ａの外側に位置し、ＬＥＤ７１は、第３面８３に対向するように配される。第４面８４は被覆板４に接する。
【００５２】
ＬＥＤ７１の光は、第３面８３から入射し、第５面８５において反射し、第２面８２に到達する。第２面８２に到達した光は、第２面８２において拡散反射し、第１面８１から出射する。この場合においても、導光体８の発光の範囲及び方向は、実施の形態１と同様となる。
【００５３】
以上の構成によれば、実施の形態１と同様に、導光体８の第１面８１からからの出射光は第２面８２における反射光であるので、導光体８からの出射光による画像の品位の低下を防止できる。また、導光体８からの出射光と、表示パネル２が表示する画像との一体感を生じさせることができ、使用者に知覚させることができる。また、導光体８は、表示面２ａの周縁部に配されているので、表示面２ａに表示される画像の邪魔とはならず、導光体８からの出射光と表示面２ａ表示される画像との一体感が良好になる。
【００５４】
第２面８２及び第５面８５のなす角度は、鋭角であり、第３面８３から入射した光を屈折により、良好に第２面８２に進行させることができる。
【００５５】
（実施の形態３）
実施の形態３においては、導光体６及び被覆板４との接着構造が、実施の形態１と異なる。図１２は、実施の形態３に係る表示装置の要部の模式的分解斜視図である。図１３は、実施の形態３に係る表示装置の模式的部分断面図である。実施の形態３に係る表示装置１の構成について、実施の形態１と同様の構成については、同一の符号を付してその詳細な説明を省略する。
【００５６】
実施の形態３の表示装置１は、矩形の板状の弾性部材９を備える。弾性部材９は、発泡ポリウレタン又は発泡ポリエチレン等、合成樹脂を発泡成形してなる部材からなり、外部から応力を加えることにより生じたひずみ（圧縮された状態）が除荷されると元の寸法に戻る応力を発揮する。
【００５７】
弾性部材９は、被覆板４の湾曲部４０の後面と、導光体６の第４面６４との間に介在してある。弾性部材９は、被覆板４の湾曲部４０と導光体６の第４面６４とによって挟持され、圧縮された状態となっている。弾性部材９の被覆板４側の一面は、湾曲部４０の曲面に沿って、湾曲している。又は、弾性部材９の被覆板４側の一面は、湾曲せず平坦であってもよい。
【００５８】
弾性部材９の長手方向の長さは、第４面６４の長手方向の長さと略同じに設定してある。又は、弾性部材９の長手方向の長さは、被覆板４の湾曲部４０の長手方向の長さと略同じに設定してあってもよい。弾性部材９の短手方向の長さは、第４面６４の短手方向の長さより短く設定してあり、弾性部材９は、第４面６４において第１面６１側に寄って配置してある。なお、弾性部材９の短手方向の長さは、第４面６４の短手方向の長さと略同じでもよい。弾性部材９の厚みは、被覆板４の湾曲部４０の後面と、導光体６の第４面６４との間の隙間の大きさよりも大きく設定してある。
【００５９】
弾性部材９の被覆板４側の一面には、両面テープが貼付又は接着剤が塗布されており、接着機能を有し、弾性部材９の一面と、被覆板４の湾曲部４０の後面とは、接着してある。弾性部材９の他面、すなわち導光体６の第４面６４側の面には、両面テープが貼付又は接着剤が塗布されておらず、弾性部材９の他面と導光体６の第４面６４とは、当接してある。弾性部材９の色は、黒又はグレー等の暗褐色である。
【００６０】
図１３に示すごとく、被覆板４の湾曲部４０の後面上端部は、導光体６の第１面６１に向かって、弾性部材９の一面側の側部を覆うように突設してある。突設された後面上端部（突設部４１）は、被覆板４の前板４ａの上端部から突設してあり、突設部４１と前板４ａとによって、断面Ｌ字形状をなす。突設部４１は、導光体６の第１面６１と第４面６４とによって形成される稜線６４Ｅに近接する位置となるようにしてある。突設部４１は、導光体６の第１面６１と第４面６４との間に形成された切り欠き部に沿って形成してある。突設部４１の先端部の端面は、切り欠かれた領域の第４面６４に対向して、突設部４１は、第１面６１と第４面６４との間に形成された切り欠き部に対応して配されている。
【００６１】
弾性部材９を、被覆板４と導光体６との間に介在させることによって、ＬＥＤ７１からの出射光が被覆板４と導光体６との隙間から漏れる（光漏れ現象）を防止することができる。
【００６２】
被覆板４の湾曲部４０と導光体６の第４面６４とによって弾性部材９を挟持し、弾性部材９を圧縮させた状態にしている。従って、被覆板４が熱によって膨張し、被覆板４の湾曲部４０と導光体６との隙間が広がった場合でも、圧縮された弾性部材９が復元することにより、隙間の広がりに対応し、光漏れ現象を防止することができる。
【００６３】
弾性部材９と被覆板４とを接着し、弾性部材９と導光体６とは接着せず当接させた状態にすることによって、圧縮された弾性部材９が復元する際に、弾性部材９にかかる負荷を低減し、確実に光漏れ現象を防止することができる。ただし、弾性部材９の接着の態様は、これに限定されず、弾性部材９は、被覆板４の後面及び導光板の第４面６４の双方と接着してもよい。
【００６４】
弾性部材９の色は、黒又はグレー等の暗褐色にしているので、ＬＥＤ７１からの出射光を吸収し、より確実に光漏れ現象を防止することができる。
【００６５】
被覆板４の湾曲部４０の後面上端部（突設部４１）は、弾性部材９の第１面６１側の側部を覆うように突設してあるので、弾性部材９は、表示装置１の外部から視認できないようにしてある。従って、表示装置１の美観を向上させることができる。突設部４１は、導光体６の第４面６４と第１面６１とによって形成される稜線６４Ｅに近接させた位置にしてあるので、第１面６１から出射させる光に影響を与えることはない。
【００６６】
なお、実施の形態１、実施の形態２及び実施の形態３において、第２面６２又は８２において、ローレット加工でなく、凹凸を有する型により成形して、凹凸形状を形成することとしてもよい。
【００６７】
また、第３面６３に対向するＬＥＤの個数は、一つに限られず、複数個であってもよい。この場合、複数個のＬＥＤは、ＬＥＤ基板上に導光体６の長手方向に沿って並べてもよい。また、種々の発光色のＬＥＤを組み合わせて使用してもよい。
【００６８】
更に、導光体６は、表示パネル２の周縁部でなく、表示装置１の設計に伴って適宜の位置に配置してもよい。実施の形態１及び実施の形態２に係る表示装置１は、テレビジョン受信機に用いられる構成でなく、インフォメーションディスプレイ、カーナビゲーションの表示画面又はパーソナルコンピュータに用いられる構成であってもよい。
【００６９】
本開示の一実施形態に係る表示装置（１）は、前面（２ａ）に画像を表示する表示部（２）と、前記前面（２ａ）に対して前向きに延びる第１面（６１，８１）、該第１面（６１，８１）に連続し、前記前面（２ａ）に沿っており、凹凸部（６２ａ、８２）を有する第２面（６２，８２）、及び該第２面（６２，８２）に連続する第３面（６３，８３）を有する導光体（６，８）と、前記第３面に対向する発光部（７０）とを備える。
【００７０】
本実施形態によれば、導光体（６，８）の第１面（６１，８１）からからの出射光を第２面（６２，８２）における反射光とすることにより、導光体（６，８）からの出射光による画像の品位の低下を防止できる。また、導光体（６，８）からの出射光と表示面（２ａ）に表示される画像の一体感を生じさせることができる。
【００７１】
本開示の一実施形態に係る表示装置（１）は、前記導光体（６，８）は、前記前面（２ａ）の周縁部に配されていることを特徴とする。
【００７２】
本実施形態によれば、良好に、導光体（６，８）の発光と表示面（２ａ）に表示される画像との一体感を生じさせることができる。
【００７３】
本開示の一実施形態に係る表示装置（１）は、前記第２面（６２）及び前記第３面（６３）がなす角度は鋭角であることを特徴とする。
【００７４】
本実施形態によれば、第３面（６３）から入射した光を良好に第２面（６２）に進行させることができる。
【００７５】
本開示の一実施形態に係る表示装置（１）は、前記第２面（６２）及び前記第３面（６３）がなす角度は３５度以上６０度以下であることを特徴とする。
【００７６】
本実施形態によれば、良好に、第３面（６３）から入射した光を良好に第２面（６２）に進行させることができる。また、第１面（６１）から出射する光の大きさを良好な大きさとすることができる。
【００７７】
本開示の一実施形態に係る表示装置（１）は  前記第１面（６１）及び前記第３面（６３）は、前記第２面（６２）から張り出しており、前記第１面（６１）及び前記第３面（６３）の前記第２面（６２）からの張り出し幅は、中央部から両端部にかけて小さくなっていることを特徴とする。
【００７８】
本実施形態によれば、デザイン性が向上する。
【００７９】
本開示の一実施形態に係る表示装置（１）は、前記第２面（６２，８２）が有する凹凸部（６２、８２）は、ローレット加工により形成されていることを特徴とする。
【００８０】
本実施形態によれば、凹凸部（６２）を容易に形成することができる。
【００８１】
本開示の一実施形態に係る表示装置（１）は、前記導光体（６，８）を覆う被覆板（４）を備えることを特徴とする。
【００８２】
本実施形態によれば、導光体（６，８）を前側から視認できないようにできるので、美観が向上する。
【００８３】
本開示の一実施形態に係る表示装置（１）は、前記導光体（６，８）は、前記第１面（６１，８１）に連続する第４面（６４，８４）を有し、前記第４面（６４，８４）と前記被覆板（４）によって挟持された弾性部材（９）を備えることを特徴とする。
【００８４】
本実施形態によれば、発光部（７１）等が発生する熱によって、被覆板（４）が膨張し被覆板（４）と導光体（６，８）とが離間した場合であっても、導光体（６，８）の第４面（６４，８４）と被覆板（４）によって挟持された弾性部材（９）が、形状を復元することで、被覆板の後面と導光体（６，８）の第４面との間の隙間を塞ぐことができる。従って、光漏れを防止することができる。
【００８５】
本開示の一実施形態に係る表示装置（１）は、前記被覆板（４）の端部（４１）は、前記弾性部材（９）の第１面側の側部を覆うように、前記第１面に向かって突設してあることを特徴とする。
【００８６】
本実施形態によれば、被覆板（４）の端部（４１）は、弾性部材（９）の第１面（６１，８１）側の側部を覆うように第１面（６１，８１）に向かって突設してあるので、第１面（６１，８１）側から弾性部材（９）が視認できないようにしてある。従って、表示装置（１）の美観を向上することができる。
【００８７】
本開示の一実施形態に係るに係るテレビジョン受信機は、上述の表示装置（１）と、テレビジョン放送を受信する受信部（１１）とを備え、前記受信部（１１）で受信したテレビジョン放送に基づいて前記表示部（２）に映像を表示するようにしてあることを特徴とする。
【００８８】
本実施形態によれば、上述の表示装置（１）を用いることにより、テレビジョン受信機における画像との一体感を生じさせることが可能となる。
【００８９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００９０】
１  表示装置
１１  チューナ（受信部）
２  液晶パネル（表示部）
２ａ  表示面（前面）
４  被覆板
４１  突設部（端部）
６、８  導光体
６１、８１  第１面
６２、８２  第２面
６２ａ  凹凸部
６３、８３  第３面
６４、８４  第４面
６４Ｅ  稜線
７１  ＬＥＤ（発光部）
９  弾性部材
【図１】
2018136521.tif 000003
【図２】
2018136521.tif 000004
【図３】
2018136521.tif 000005
【図４】
2018136521.tif 000006
【図５】
2018136521.tif 000007
【図６】
2018136521.tif 000008
【図７】
2018136521.tif 000009
【図８】
2018136521.tif 000010
【図９】
2018136521.tif 000011
【図１０】
2018136521.tif 000012
【図１１】
2018136521.tif 000013
【図１２】
2018136521.tif 000014
【図１３】
2018136521.tif 000015
【手続補正書】
【提出日】平成30年6月11日(2018.6.11)
【手続補正１】
【補正対象書類名】明細書
【補正対象項目名】０００７
【補正方法】変更
【補正の内容】
【０００７】
本開示の一実施形態に係る表示装置は、前面に画像を表示する表示部と、前記前面に対して前向きに斜め下に傾斜して延びる第１面、該第１面に連続し、前記前面に沿っており、凹凸部を有する第２面、及び該第２面に連続する第３面を有する導光体と、前記第３面に対向する発光部とを備え、前記第２面及び前記第３面がなす角度は鋭角であり３５度以上６０度以下であることを特徴する。
本開示の一実施形態に係る表示装置は、前面に画像を表示する表示部と、前記前面に対して前向きに斜め下に傾斜して延びる第１面、該第１面に連続し、前記前面に沿っており、凹凸部を有する第２面、及び該第２面に連続する第３面を有する導光体と、前記第３面に対向する発光部とを備え、前記第１面及び前記第３面は、前記第２面から張り出しており、前記第１面及び前記第３面の前記第２面からの張り出し幅は、中央部から両端部にかけて小さくなっていることを特徴とする。
本開示の一実施形態に係る表示装置は、前面に画像を表示する表示部と、前記前面に対して前向きに斜め下に傾斜して延びる第１面、該第１面に連続し、前記前面に沿っており、凹凸部を有する第２面、及び該第２面に連続する第３面を有する導光体と、前記第３面に対向する発光部と、前記導光体を覆う被覆板とを備え、前記導光体は、前記第１面に連続する第４面を有し、前記第４面と前記被覆板によって挟持された弾性部材を備え、前記被覆板の端部は、前記弾性部材の前記第１面側の側部を覆うように、前記第１面に向かって突設してあることを特徴とする。
【手続補正２】
【補正対象書類名】特許請求の範囲
【補正対象項目名】全文
【補正方法】変更
【補正の内容】
【特許請求の範囲】
【請求項１】
前面に画像を表示する表示部と、
前記前面に対して前向きに斜め下に傾斜して延びる第１面、該第１面に連続し、前記前面に沿っており、凹凸部を有する第２面、及び該第２面に連続する第３面を有する導光体と、
前記第３面に対向する発光部とを備え、
前記第２面及び前記第３面がなす角度は鋭角であり３５度以上６０度以下であることを特徴する
表示装置。
【請求項２】
前記第１面及び前記第３面は、前記第２面から張り出しており、
前記第１面及び前記第３面の前記第２面からの張り出し幅は、中央部から両端部にかけて小さくなっていることを特徴とする請求項１に記載の表示装置。
【請求項３】
前記導光体を覆う被覆板を備えることを特徴とする請求項１又は請求項２に記載の表示装置。
【請求項４】
前記導光体は、前記第１面に連続する第４面を有し、
前記第４面と前記被覆板によって挟持された弾性部材を備えることを特徴とする請求項３に記載の表示装置。
【請求項５】
前記被覆板の端部は、前記弾性部材の前記第１面側の側部を覆うように、前記第１面に向かって突設してあることを特徴とする請求項４に記載の表示装置。
【請求項６】
前面に画像を表示する表示部と、
前記前面に対して前向きに斜め下に傾斜して延びる第１面、該第１面に連続し、前記前面に沿っており、凹凸部を有する第２面、及び該第２面に連続する第３面を有する導光体と、
前記第３面に対向する発光部とを備え、
前記第１面及び前記第３面は、前記第２面から張り出しており、
前記第１面及び前記第３面の前記第２面からの張り出し幅は、中央部から両端部にかけて小さくなっていることを特徴とする
表示装置。
【請求項７】
前記第２面及び前記第３面がなす角度は鋭角であることを特徴とする請求項６に記載の表示装置。
【請求項８】
前記第２面及び前記第３面がなす角度は３５度以上６０度以下であることを特徴とする請求項７に記載の表示装置。
【請求項９】
前記導光体を覆う被覆板を備えることを特徴とする請求項６から請求項８のいずれか一つに記載の表示装置。
【請求項１０】
前記導光体は、前記第１面に連続する第４面を有し、
前記第４面と前記被覆板によって挟持された弾性部材を備えることを特徴とする請求項９に記載の表示装置。
【請求項１１】
前記被覆板の端部は、前記弾性部材の前記第１面側の側部を覆うように、前記第１面に向かって突設してあることを特徴とする請求項１０に記載の表示装置。
【請求項１２】
前面に画像を表示する表示部と、
前記前面に対して前向きに斜め下に傾斜して延びる第１面、該第１面に連続し、前記前面に沿っており、凹凸部を有する第２面、及び該第２面に連続する第３面を有する導光体と、
前記第３面に対向する発光部と、
前記導光体を覆う被覆板とを備え、
前記導光体は、前記第１面に連続する第４面を有し、
前記第４面と前記被覆板によって挟持された弾性部材を備え、
前記被覆板の端部は、前記弾性部材の前記第１面側の側部を覆うように、前記第１面に向かって突設してあることを特徴とする
表示装置。
【請求項１３】
前記第２面及び前記第３面がなす角度は鋭角であることを特徴とする請求項１２に記載の表示装置。
【請求項１４】
前記第２面及び前記第３面がなす角度は３５度以上６０度以下であることを特徴とする請求項１３に記載の表示装置。
【請求項１５】
前記第１面及び前記第３面は、前記第２面から張り出しており、
前記第１面及び前記第３面の前記第２面からの張り出し幅は、中央部から両端部にかけて小さくなっていることを特徴とする請求項１２から請求項１４のいずれか一つに記載の表示装置。
【請求項１６】
前記導光体は、前記前面の周縁部に配されていることを特徴とする請求項１から請求項１５のいずれか一つに記載の表示装置。
【請求項１７】
前記第２面が有する凹凸部は、ローレット加工により形成されていることを特徴とする請求項１から請求項１６までのいずれか一つに記載の表示装置。
【請求項１８】
請求項１から請求項１７のいずれか１つに記載の表示装置と、
テレビジョン放送を受信する受信部と
を備え、
前記受信部で受信したテレビジョン放送に基づいて前記表示部に映像を表示するようにしてあることを特徴とするテレビジョン受信機。